(57)【特許請求の範囲】
【請求項１】
第１レンズ群を保持した第１可動部材および第２レンズ群を保持した第２可動部材を光軸方向に並べて固定枠に対して移動可能に収容したレンズ鏡筒であって、
第１コイル、上記第１コイルに対向して配置された第１磁石、およびＵ字状の第１ヨークによって第１の磁気回路を構成し、当該第１の磁気回路によって上記第１可動部材を上記光軸方向に移動させる第１アクチュエータと、
第２コイル、上記第２コイルに対向して配置された第２磁石、およびＵ字状の第２ヨークによって上記第１の磁気回路とは磁気的に独立した第２の磁気回路を構成し、当該第２の磁気回路によって上記第２可動部材を上記光軸方向に移動させる第２アクチュエータと、
上記第１可動部材と上記第２可動部材との間に位置し、上記第１レンズ群及び上記第２レンズ群を含む光学系の絞りとなる絞り部と上記第１可動部材と上記第２可動部材とが衝突するのを防止する衝突防止部とを有する中間部材と、
を具備し、
上記Ｕ字状の第１ヨークの開口部と上記Ｕ字状の第２ヨークの開口部とは所定の距離だけ離間するとともに互いに対向して配置され、
上記絞り部は、上記第１コイルと上記第１ヨークの間隙を通過する不要光と上記第１ヨークで反射される不要光を遮光するための所定の径を有する開口縁部を有することを特徴とするレンズ鏡筒。
【請求項２】
上記中間部材の上記第１可動部材側には、当該第１可動部材の衝突による衝撃を吸収するための第１緩衝部材が設けられ、
上記第２可動部材の可動領域の上記中間部材側の端部における上記固定枠には、上記第２可動部材の衝突による衝撃を吸収するための第２緩衝部材が設けられていることを特徴とする請求項１記載のレンズ鏡筒。
【請求項３】
上記中間部材は、剛性を付与するためのリブを有することを特徴とする請求項１記載のレンズ鏡筒。
【発明の詳細な説明】
【技術分野】
【０００１】
本発明は、例えば、２組のレンズ群を光軸方向に移動可能に有したレンズ鏡筒に関する。
【背景技術】
【０００２】
例えば、レンズ鏡筒として、２組のレンズ群をそれぞれ光軸方向に移動させる２組のアクチュエータを備えたカメラの交換レンズが知られている。２組のアクチュエータは、それぞれ、レンズ群を保持した可動部材に固設したコイル、コイルに対向して外枠側に固設した磁石、および磁気回路を形成するためのヨークを含むボイスコイルモータ（ＶＣＭ）である。
【０００３】
ＶＣＭのコイルに電流を流すと、電磁誘導によって可動部材がヨークに沿って光軸方向に移動する。
【先行技術文献】
【特許文献】
【０００４】
【特許文献１】特開２０００−１４７３５０号公報
【発明の概要】
【発明が解決しようとする課題】
【０００５】
しかし、コイルに電流を流さない状態では、可動部材がヨークに沿って自由に移動可能となる。このため、２つの可動部材の間には仕切板が必要となる。  
また、コイルをヨークに対して移動可能に設けると、コイルとヨークの間の隙間を通して不要な光が伝わる。この光は、２組のレンズ群を連続して通過しない有害な光となり、カメラの撮像画像に悪影響を与える。
【０００６】
本発明は、上記の点に鑑みてなされたもので、非通電時にレンズが衝突するのを防止し、通電時においては良好な光学特性を有するレンズ鏡筒を提供することを目的とする。
【課題を解決するための手段】
【０００７】
本発明のレンズ鏡筒の一態様は、第１レンズ群を保持した第１可動部材および第２レンズ群を保持した第２可動部材を光軸方向に並べて固定枠に対して移動可能に収容したレンズ鏡筒であって、第１コイル、上記第１コイルに対向して配置された第１磁石、およびＵ字状の第１ヨークによって第１の磁気回路を構成し、当該第１の磁気回路によって上記第１可動部材を上記光軸方向に移動させる第１アクチュエータと、第２コイル、上記第２コイルに対向して配置された第２磁石、およびＵ字状の第２ヨークによって上記第１の磁気回路とは磁気的に独立した第２の磁気回路を構成し、当該第２の磁気回路によって上記第２可動部材を上記光軸方向に移動させる第２アクチュエータと、上記第１可動部材と上記第２可動部材との間に位置し、上記第１レンズ群及び上記第２レンズ群を含む光学系の絞りとなる絞り部と上記第１可動部材と上記第２可動部材とが衝突するのを防止する衝突防止部とを有する中間部材と、を具備し、上記Ｕ字状の第１ヨークの開口部と上記Ｕ字状の第２ヨークの開口部とは所定の距離だけ離間するとともに互いに対向して配置され、上記絞り部は、上記第１コイルと上記第１ヨークの間隙を通過する不要光と上記第１ヨークで反射される不要光を遮光するための所定の径を有する開口縁部を有することを特徴とする。
【発明の効果】
【０００８】
本発明のレンズ鏡筒によれば、非通電時にレンズが衝突するのを防止し、通電時においては良好な光学特性を有するレンズ鏡筒を提供できる。
【図面の簡単な説明】
【０００９】
【図１】図１は、実施形態に係る交換レンズの外観図である。
【図２】図２は、図１の交換レンズの縦断面図である。
【図３】図３は、図２の交換レンズに組み込まれた２組の可動レンズ群、支持機構、２組のアクチュエータ、および中間部材を組み立てた組立体を示す断面図である。
【図４】図４は、図３の組立体を示す斜視図である。
【図５】図５は、図４の組立体を別の方向から見た斜視図である。
【図６】図６は、図５の組立体を図１の交換レンズに取り付けるための固定枠を示す斜視図である。
【図７】図７は、図６の固定枠に取り付ける第１ヨークを示す斜視図である。
【図８】図８は、図７の第１ヨークを図６の固定枠に取り付けた状態を示す斜視図である。
【図９】図９は、図８のＦ９−Ｆ９に沿った部分断面図である。
【図１０】図１０は、前方のレンズ枠を組み込んだ状態を示す斜視図である。
【図１１】図１１は、第３ヨークを示す斜視図である。
【図１２】図１２は、図１１の第３ヨークを取り付けた状態を示す斜視図である。
【図１３】図１３は、中間部材を取り付けた状態を示す斜視図である。
【図１４】図１４は、後方のレンズ枠を取り付けた状態を示す斜視図である。
【図１５】図１５は、第２ヨークを示す斜視図である。
【図１６】図１６は、図１５の第２ヨークを固定枠に組み込んだ状態を示す斜視図である。
【図１７】図１７は、図１６のＦ１７−Ｆ１７に沿った部分断面図である。
【図１８】図１８は、緩衝部材のレイアウトを説明するための斜視図である。
【図１９】図１９は、緩衝部材のレイアウトを説明するための断面図である。
【図２０】図２０は、前方のレンズ枠を取り除いた状態の組立体を前方から見た概略図である。
【図２１】図２１は、後方のレンズ枠を取り除いた状態の組立体を後方から見た概略図である。
【図２２】図２２は、ヨークとコイルの間を通る光を遮光する構造を説明するための断面図である。
【図２３】図２３は、ヨークで反射された光を遮光する構造を説明するための断面図である。
【図２４】図２４は、固定枠に入射した光の光線図である。
【発明を実施するための形態】
【００１０】
以下、本発明を実施するための形態について図面を参照して説明する。  
図１は、本発明のレンズ鏡筒の一実施形態である交換レンズ１００を示す外観図である。また、図２は、図１の交換レンズ１００をその光軸Ｏを含む面で切断した縦断面図である。この交換レンズ１００は、例えば、ここでは図示しないデジタルカメラに着脱自在に取り付けられる交換レンズであり、後述する２組の可動レンズ群４、６を有する。以下の説明では、光軸Ｏに沿った図示しない被写体側（図示左側）を前方と称し、図示しないカメラ本体側（図示右側）を後方と称する。
【００１１】
交換レンズ１００は、光軸Ｏに沿って前方に向けて僅かに外径が大きくなる略円筒形の外枠１を有する。外枠１の内部には、光軸Ｏに沿って互いに離間した複数組の固定レンズ群２が固設されている。また、外枠１の内部には、光軸Ｏに沿って前後方向に移動可能な２組の可動レンズ群４、６が設けられている。可動レンズ群４、６は、後述する固定枠６０（図６）に組み込まれて外枠１の内部に取り付けられる。各レンズ群２、４、６は、光軸Ｏがその中心を通る姿勢で同軸に設けられる。
【００１２】
図３は、２組の可動レンズ群４、６を光軸Ｏ方向に移動可能に支持する支持機構１０、前方の可動レンズ群４を駆動するアクチュエータ２０（第１アクチュエータ）、後方の可動レンズ群６を駆動するアクチュエータ３０（第２アクチュエータ）、および中間部材４０（絞り部、衝突防止部）を組み合わせた組立体５０を示す拡大断面図である。また、図４は、図３の組立体５０を示す斜視図であり、図５は、図４の組立体５０を図４とは別の方向から見た斜視図である。図４では、構造を見易くするため、中間部材４０の図示を省略している。この組立体５０は、後述する固定枠６０に組み込まれて外枠１内に取り付けられる。
【００１３】
支持機構１０は、前方の可動レンズ群４（第１レンズ群）を保持したレンズ枠１１（第１可動部材）を光軸Ｏ方向に移動可能に支持するとともに、後方の可動レンズ群６（第２レンズ群）を保持したレンズ枠１２（第２可動部材）を光軸Ｏ方向に移動可能に支持する。アクチュエータ２０は、支持機構１０によって支持された前方のレンズ枠１１を光軸Ｏに沿って前後方向に駆動する。アクチュエータ３０は、支持機構１０によって支持された後方のレンズ枠１２を光軸Ｏに沿って前後方向に駆動する。中間部材４０は、アクチュエータ２０によるレンズ枠１１の可動領域（第１可動領域）とアクチュエータ３０によるレンズ枠１２の可動領域（第２可動領域）を仕切るとともに、第１可動領域を通って第２可動領域に入射される光のうち不要な光を遮光する。
【００１４】
より具体的には、支持機構１０は、前方の可動レンズ群４を保持したレンズ枠１１、および後方の可動レンズ群６を保持したレンズ枠１２を有する。これら２つのレンズ枠１１、１２は、それぞれ、光軸Ｏと直交する面に沿う姿勢で、光軸Ｏ方向に並べて配置されている。前方のレンズ枠１１の可動領域と後方のレンズ枠１２の可動領域の間には、中間部材４０が配置され、２つの可動レンズ群４、６同士が接触することが防止される。また、前方のレンズ枠１１の可動領域の前方端、および後方のレンズ枠１２の可動領域の後方端にも、ここでは図示しない緩衝部材が設けられ、各レンズ枠１１、１２の可動領域の範囲が制限されている。
【００１５】
また、支持機構１０は、２つのレンズ枠１１、１２を光軸Ｏ方向に移動可能に保持する断面円形の３本のガイド軸１３、１４、１５を有する。これら３本のガイド軸１３、１４、１５は、固定枠６０の内面に近接して光軸Ｏと平行に延設され、固定枠６０に固設されている。２本のガイド軸１４、１５は、ガイド軸１３に対してレンズの径方向に離間して反対側に設けられている。ガイド軸１３の直径は、ガイド軸１４、１５の直径より小さい。
【００１６】
径の小さい１本のガイド軸１３は、２つのレンズ枠１１、１２を移動可能に保持する。径の大きい一方のガイド軸１４は、前方のレンズ枠１１を移動可能に保持する。径の大きい他方のガイド軸１５は、後方のレンズ枠１２を移動可能に保持する。見方を変えると、前方のレンズ枠１１は、２本のガイド軸１３、１４によって移動可能に保持され、後方のレンズ枠１２は、２本のガイド軸１３、１５によって移動可能に保持されている。
【００１７】
一方、前方のレンズ枠１１は、ガイド軸１３に嵌合するＵ字状の嵌合溝１１ａを有し、後方のレンズ枠１２は、ガイド軸１３に嵌合するＵ字状の嵌合溝１２ａを有する。また、前方のレンズ枠１１は、ガイド軸１４を挿通する貫通孔１１ｂを有し、後方のレンズ枠１２は、ガイド軸１５を挿通する貫通孔１２ｂを有する。レンズ枠１１の貫通孔１１ｂは、嵌合溝１１ａに対してレンズの径方向に離間した反対側に設けられ、レンズ枠１２の貫通孔１２ｂは、嵌合溝１２ａに対してレンズの径方向に離間した反対側に設けられている。
【００１８】
前方の可動レンズ群４を駆動するためのアクチュエータ２０は、レンズの径方向に離間対向した２組の駆動部を有し、後方の可動レンズ群６を駆動するためのアクチュエータ３０は、レンズの径方向に離間対向した２組の駆動部を有する。それぞれ、一方の駆動部は他方の駆動部と同様の構造を有するとともに同様に機能するため、一方の駆動部について説明し、他方の駆動部についての説明を省略する。
【００１９】
前方のレンズ枠１１を駆動するためのアクチュエータ２０は、レンズ枠１１の外縁部に固設された第１コイル２１、この第１コイル２１の外側に離間対向して固定枠６０側に固設された第１磁石２２、およびこの第１磁石２２および第１コイル２１と協働して第１の磁気回路を形成する第１ヨーク２３を含む。また、このアクチュエータ２０は、第１ヨーク２３が後述する第２ヨーク３３に対向する端部に接触して設けた第３ヨーク２４を有する。第３ヨーク２４は、第１の磁気回路の一部を構成する。
【００２０】
第１ヨーク２３は、後述する第２ヨーク３３から離間した側（前方側）の端部を折り返した断面Ｕ字形であり、略矩形の磁性体の板を中央から半分に折り曲げた構造を有する。より具体的には、第１ヨーク２３は、固定枠６０の内面に固設される第１部分２３ａ、第１部分２３ａより固定枠６０の内側に離間して対向した第２部分２３ｂ、および第１部分２３ａと第２部分２３ｂの一端を一体になだらかにつないだ連結部分２３ｃを有する。第１ヨーク２３は、第１部分２３ａおよび第２部分２３ｂの他端に開口部２３０を有する。第３ヨーク２４は、開口部２３０を塞ぐ位置に取り付けられる。
【００２１】
第１磁石２２は、第１ヨーク２３の第１部分２３ａの固定枠６０から離間した内面に貼設されている。第１ヨーク２３の第２部分２３ｂは、第１コイル２１内に非接触状態で挿通されている。第１コイル２１は、第１磁石２２に対しても非接触状態となっている。このため、第１コイル２１は、その周りの部材に接触しないで第１ヨーク２３の第２部分２３ｂに沿って光軸Ｏ方向に移動可能となっている。
【００２２】
しかして、図示しない駆動回路から第１コイル２１に通電すると、第１コイル２１の周りに電流の方向に応じた向きの磁界が発生し、電磁誘導によって第１コイル２１に第１磁石２２から磁力が作用し、レンズ枠１１が光軸方向の一端側に移動される。また、第１コイル２１に通電する電流の向きを変えると、レンズ枠１１が光軸方向の他端側に移動される。
【００２３】
一方、後方のレンズ枠１２を駆動するためのアクチュエータ３０は、レンズ枠１２の外縁部に固設された第２コイル３１、この第２コイル３１の外側に離間対向して固定枠６０側に固設された第２磁石３２、およびこの第２磁石３２および第２コイル３１と協働して第２の磁気回路を形成する第２ヨーク３３を含む。
【００２４】
第２ヨーク３３は、第１ヨーク２３から離間した側（後方側）の端部を折り返した断面Ｕ字形であり、略矩形の磁性体の板を中央から半分に折り曲げた構造を有する。より具体的には、第２ヨーク３３は、固定枠６０の内面に固設される第１部分３３ａ、第１部分３３ａより固定枠６０の内側に離間して対向した第２部分３３ｂ、および第１部分３３ａと第２部分３３ｂの一端を一体になだらかにつないだ連結部分３３ｃを有する。第２ヨーク３３は、第１ヨーク２３より光軸Ｏ方向に沿った長さが短い。第２ヨーク３３は、第１部分３３ａおよび第２部分３３ｂの他端に開口部３３０を有する。
【００２５】
第２磁石３２は、第２ヨーク３３の第１部分３３ａの固定枠６０から離間した内面に貼設されている。第２ヨーク３３の第２部分３３ｂは、第２コイル３１内に非接触状態で挿通されている。第２コイル３１は、第２磁石３２に対しても非接触状態となっている。このため、第２コイル３１は、その周りの部材に接触しないで第２ヨーク３３の第２部分３３ｂに沿って光軸Ｏ方向に移動可能となっている。
【００２６】
しかして、図示しない駆動回路から第２コイル３１に通電すると、第２コイル３１の周りに電流の方向に応じた向きの磁界が発生し、電磁誘導によって第２コイル３１に第２磁石３２から磁力が作用し、レンズ枠１２が光軸方向の一端側に移動される。また、第２コイル３１に通電する電流の向きを変えると、レンズ枠１２が光軸方向の他端側に移動される。
【００２７】
中間部材４０は、レンズの径方向に離間対向した２つの部分に分かれている。中間部材４０の２つの部分は、それぞれ、アクチュエータ２０、３０の２組の駆動部に対応して設けられている。中間部材４０の２つの部分は、同じ構造を有するため、ここでは、一方のみを中間部材４０と称して代表して説明する。
【００２８】
中間部材４０は、表面を例えば黒色に塗装した板状の部材であり、第１ヨーク２３の開口部２３０の近く、すなわち第３ヨーク２４の内側に対向する位置に取り付けられる。中間部材４０は、光軸Ｏと直交する面に沿って配置される。中間部材４０は、可動レンズ群４および可動レンズ群６を連続して通る有用な光を遮らないように、可動レンズ群４、６のレンズの外形に合わせて外側に湾曲した内縁４１（開口縁部）を有する。また、中間部材４０は、長手方向の両端近くに２つのネジ孔４２、４３を有する。さらに、中間部材４０は、剛性を付与するためのリブ４４を少なくとも一方の面に一体に突設している。
【００２９】
また、中間部材４０の前方の面４０ａには、２つの緩衝部材４５、４６（第１緩衝部材）が貼設されている。本実施形態では、第１ヨーク２３に沿って移動する前方のレンズ枠１１の一部が接触する位置に緩衝部材４５、４６を設けている。言い換えると、本実施形態では、中間部材４０の後方の面４０ｂには、緩衝部材を設けていない。さらに言い換えると、緩衝部材は、中間部材４０の一方の面４０ａ（或いは４０ｂ）にのみ設ければ良く、その数も２つに限定されない。
【００３０】
なお、本実施形態では、中間部材４０に緩衝部材４５、４６を貼り付けて緩衝機能を持たせたが、これに限らず、中間部材４０自体を緩衝機能を有する材料により形成しても良い。この場合、リブ４４を設けることで、中間部材４０に適当な剛性を持たせることが有効となる。
【００３１】
次に、図６乃至図１７を参照して、上述した組立体５０の各構成要素１０、２０、３０、４０を固定枠６０に組み込むための構造、および組立体５０の各構成要素１０、２０、３０、４０を固定枠６０に組み込む工程について説明する。  
図６は、交換レンズ１００の外枠１の内部に取り付けられる固定枠６０を示す斜視図である。固定枠６０は、図２に示すように外枠１内に取り付けられた状態で外枠１と一体化される。このため、固定枠６０も、外枠１の一部として機能する。固定枠６０は、組立体５０を組み込んだ状態で、外枠１の後端側から挿入されて取り付けられる。固定枠６０の外枠１に対する取り付け構造および取り付け方法についての詳細な説明は省略する。
【００３２】
固定枠６０は、その内壁に、第１ヨーク２３を固定するための第１固定部５１、第２ヨーク３３を固定するための第２固定部５２、および第２ヨーク３３に当接することで、第１ヨーク２３と第２ヨーク３３との間に光軸Ｏ方向に沿った隙間を設けるための矩形ブロック状の突起５３を有する。突起５３は、第２ヨーク３３が第１ヨーク２３に対向する端部を当接させることにより、第１ヨーク２３と第２ヨーク３３との間に隙間を形成する。
【００３３】
上述したように、可動レンズ群４、６を駆動するためのアクチュエータ２０、３０は、それぞれ径方向に離間した２組の駆動部を有する。このため、固定枠６０も、その内壁の径方向に対向する２位置に、それぞれ、駆動部の第１ヨーク２３および第２ヨーク３３を取り付けるための構成５１、５２、５３を備えている。ここでは一方の構成のみを代表して説明し、他方についての説明を省略する。
【００３４】
図７は、固定枠６０の第１固定部５１に取り付けられる第１ヨーク２３を示す斜視図であり、図８は、第１ヨーク２３を固定枠６０の第１固定部５１に取り付けた状態を示す斜視図であり、図９は、図８のＦ９−Ｆ９に沿った部分断面図である。第１ヨーク２３は、第１部分２３ａの内面に第１磁石２２を備えている。第１磁石２２は、第１部分２３ａに接着固定される。第１部分２３ａは、接着剤を注入するための２つの貫通孔２３ｄを備えている。
【００３５】
まず始めに、第１磁石２２を備えた第１ヨーク２３を固定枠６０の第１固定部５１に取り付ける。この際、第１ヨーク２３は、第１部分２３ａが固定枠６０の第１固定部５１に対向する向きで、連結部分２３ｃを先頭にして固定枠６０内に挿入される。そして、第１ヨーク２３の第１部分２３ａの外面に突設したボス２３ｅを固定枠６０の第１固定部５１に設けた位置決め孔５１ａに嵌合させて、第１ヨーク２３を固定枠６０に対して位置決めする。さらに、固定枠６０の外側からネジ挿通孔５１ｂを通してネジ５４を挿通し、第１ヨーク２３の第１部分２３ａの外面に設けたネジ穴２３ｆに螺合する。これにより、第１磁石２２を備えた第１ヨーク２３が固定枠６０の第１固定部５１に固定される。
【００３６】
次に、図１０に示すように、前方の可動レンズ群４を保持したレンズ枠１１を取り付ける。この際、レンズ枠１１の嵌合溝１１ａをガイド軸１３に嵌合し、レンズ枠１１の貫通孔１１ｂにガイド軸１４を挿通し、レンズ枠１１に固設した第１コイル２１の内部に第１ヨーク２３の第２部分２３ｂを挿通する。この状態で、２本のガイド軸１３、１４によって、レンズ枠１１の光軸Ｏ方向と直交する方向への移動が規制されるため、第１コイル２１は、第１ヨーク２３に対して非接触状態を維持される。
【００３７】
次に、第１ヨーク２３の後方の開口部２３０を閉じるように、第３ヨーク２４を取り付ける。図１１は、第３ヨーク２４を第２ヨーク３３側から見た斜視図である。第３ヨーク２４は、一定の厚みを有する板状の磁性体であり、第２ヨーク３３に対向する面２４ａに均一な厚みを有する２枚の矩形シート状の非磁性部材２５を備えている。２枚の非磁性部材２５は、第３ヨーク２４の長手方向に互いに離間して面２４ａに貼設されている。
【００３８】
図１２に示すように、第３ヨーク２４は、第１ヨーク２３の第２ヨーク３３に対向する端部に接触して取り付けられる。第３ヨーク２４は、第１磁石２２の磁力によって第１ヨーク２３に磁気的に吸着される。言い換えると、第３ヨーク２４は、第１ヨーク２３に接着しない。第３ヨーク２４は、第１ヨーク２３の第１部分２３ａの端部から突出した突起２３ｇを逃がすための切欠き２４ｂ、および第１ヨーク２３の第２部分２３ｂの端部から突出した突起２３ｈを逃がすための切欠き２４ｃを有する。そして、各切欠き２４ｂ、２４ｃの内面が各突起２３ｇ、２３ｈに接触して磁気的に吸着される。なお、第３ヨーク２４は、第１ヨーク２３に取り付けた状態で、図３に示すように、第１磁石２２から離間している。
【００３９】
次に、図１３に示すように、中間部材４０を取り付ける。中間部材４０は、緩衝部材４５、４６を貼り付けた面４０ａがレンズ枠１１に対向する向きで固定枠６０の後端側から挿入配置される。そして、２本のネジ４７、４８を中間部材４０のネジ孔４２、４３に挿通して固定枠６０に螺合することで、中間部材４０が固定枠６０に締結固定される。中間部材４０は、レンズ枠１１の光軸Ｏ方向に沿った可動領域とレンズ枠１２の光軸Ｏ方向に沿った可動領域の間に配置される。中間部材４０は、固定枠６０以外の周辺部材に非接触状態で取り付けられている。
【００４０】
中間部材４０の前方の面４０ａに貼設した緩衝部材４５、４６（図１３では不図示）は、前方のレンズ枠１１がその可動領域の後方端に移動したとき、レンズ枠１１の一部に接触してその衝撃を吸収する。一方、後方のレンズ枠１２がその可動領域の前方端に移動したとき、レンズ枠１２に接触して衝撃を吸収するための緩衝部材が必要となる。本実施形態では、このレンズ枠１２の接触による衝撃を吸収する緩衝部材６１、６２（第２緩衝部材）を固定枠６０に貼設した。固定枠６０に設けた緩衝部材６１〜６６のレイアウトについては後に説明する。
【００４１】
本実施形態のように、中間部材４０の一方の面４０ａに前方のレンズ枠１１のための緩衝部材４５、４６を設けて、他方の面４０ｂには緩衝部材を設けずに、中間部材４０とは別体の固定枠６０に後方のレンズ枠１２のための緩衝部材６１、６２を設けることで、２つのレンズ枠１１、１２が互いに対向する可動領域の端部にそれぞれ移動したとき、一方のレンズ枠１１（１２）が衝突する際の衝撃が他方のレンズ枠１２（１１）に伝わることを防止できる。
【００４２】
中間部材４０を取り付けた後、図１４に示すように、後方の可動レンズ群６を保持したレンズ枠１２を取り付ける。この際、レンズ枠１２の嵌合溝１２ａをガイド軸１３に嵌合し、レンズ枠１２の貫通孔１２ｂにガイド軸１５を挿通する。これにより、２本のガイド軸１３、１５によって、レンズ枠１２の光軸Ｏと直交する方向への移動が規制され、レンズ枠１２が位置決めされる。
【００４３】
次に、固定枠６０の第２固定部５２に第２ヨーク３３を取り付ける。第２ヨーク３３は、図１５に示すように、第１部分３３ａの内面に第２磁石３２を備えている。第２磁石３２は、第１部分３３ａに接着固定される。第１部分３３ａは、接着剤を注入するための２つの貫通孔３３ｄを有する。
【００４４】
第２磁石３２を備えた第２ヨーク３３は、図１６に示すように、第１部分３３ａが固定枠６０の第２固定部５２に対向する向きで、連結部分３３ｃから離間した前方の端部、すなわち開口部３３０を先頭にして固定枠６０内に挿入される。つまり、この状態で、第１ヨーク２３の開口部２３０と第２ヨーク３３の開口部３３０が対向する。
【００４５】
このとき、レンズ枠１２に固設した第２コイル３１内に第２ヨーク３３の第２部分３３ｂが挿通される。そして、第１部分３３ａの連結部分３３ｃから離間した端部に設けた切欠き３３ｅに固定枠６０の突起５３が嵌合して当接し、第２ヨーク３３が固定枠６０に対して位置決めされる。このように、第２ヨーク３３の一部が突起５３に当接することで、第２ヨーク３３が第１ヨーク２３に接触することを防止している。
【００４６】
この後、図１７に示すように、固定枠６０の外側からネジ挿通孔５２ａを通してネジ５５を挿通し、第２ヨーク３３の第１部分３３ａの外面に設けたネジ穴３３ｆに螺合する。これにより、第２磁石３２を備えた第２ヨーク３３が固定枠６０の第２固定部５２に固定される。以上の工程により、組立体５０の各構成要素１０、２０、３０、４０が固定枠６０に組み込まれる。
【００４７】
ここで、図１８および図１９を参照して、緩衝部材４５、４６、６１〜６６のレイアウトについて説明する。図１８は、中間部材４０に貼り付けた緩衝部材４５、４６および固定枠６０に貼り付けた緩衝部材６１〜６４のレイアウトを説明するための斜視図であり、図１９は、緩衝部材４５、４６、６１〜６６のレイアウトを説明するための断面図である。なお、図１８では、緩衝部材４５、４６、６１〜６６の位置を見易くするため、レンズ枠１１、１２の図示を省略しており、図１９では、さらに、アクチュエータ２０、３０の図示を省略している。
【００４８】
緩衝部材４５、４６は、上述したように、中間部材４０の前方の面４０ａに貼り付けられている。これら２つの緩衝部材は、前方のレンズ枠１１がその可動領域の後方端に移動したとき、レンズ枠１１の後方の面に接触して衝撃を吸収することのできる位置に設けられている。また、緩衝部材６１、６２は、上述したように、後方のレンズ枠１２がその可動領域の前方端に移動したとき、レンズ枠１２の前方の面に接触して衝撃を吸収することのできる位置で固定枠６０に貼り付けられている。
【００４９】
また、緩衝部材６３、６４は、前方のレンズ枠１１がその可動領域の前方端に移動したとき、レンズ枠１１の前方の面に接触して衝撃を吸収することのできる位置に設けられている。さらに、緩衝部材６５、６６は、後方のレンズ枠１２がその可動領域の後方端に移動したとき、レンズ枠１２の後方の面に接触して衝撃を吸収することのできる位置に設けられている。
【００５０】
以上のように、緩衝部材４５、４６、６１〜６６をレイアウトすることで、レンズ枠１１が緩衝部材４５、４６に衝突する際の衝撃およびレンズ枠１２が緩衝部材６１、６２に衝突する際の衝撃が相互に伝達される不具合を防止でき、アクチュエータ２０、３０の動作音を小さくすることができる。
【００５１】
なお、本実施形態では、中間部材４０の前方の面４０ａにレンズ枠１１の後方端を接触させる緩衝部材４５、４６（第１緩衝部材）を設けて、固定枠６０にレンズ枠１２の前方端を接触させる緩衝部材６１、６２（第２緩衝部材）を設けた場合について説明したが、これに限らず、中間部材４０の後方の面４０ｂにレンズ枠１２の前方端を接触させる緩衝部材４５、４６（第１緩衝部材）を設けて、固定枠６０にレンズ枠１１の後方端を接触させる緩衝部材６１、６２（第２緩衝部材）を設けても良い。いずれにしても、中間部材４０の両面に緩衝部材を設けずに、一方の面にだけ緩衝部材を設ければ良い。
【００５２】
次に、中間部材４０の絞り機能について、図２０乃至図２４を参照して説明する。中間部材４０は、上述したように、前方のレンズ枠１１の可動領域と後方のレンズ枠１２の可動領域との間の空間を仕切る機能の他に、固定枠６０に入射した図示しない被写体からの光のうち不要な光が第１可動領域から第２可動領域に伝わらないよう遮光する機能を有する。
【００５３】
図２０は、前方のレンズ枠１１を取り除いた状態の組立体５０を前方から見た図であり、図２１は、後方のレンズ枠１２を取り除いた状態の組立体５０を後方から見た図である。また、図２２、２３は、組立体５０の要部を拡大した部分拡大断面図である。図２０乃至図２３に示すように、中間部材４０は、第１ヨーク２３の第２部分２３ｂの内面に接触して取り付けられており、両者の間に隙間が無い状態となっている。
【００５４】
このため、中間部材４０は、図２２に示すように、第１ヨーク２３の第２部分２３ｂと第１コイル２１との間の隙間を介して第１可動領域から第２可動領域に入射する光を遮光することができる。また、中間部材４０は、図２３に示すように、第１ヨーク２３の第２部分２３ｂの内面で反射されて第２可動領域に入射する光を遮光することができる。このように、コイルの隙間を通過する光やヨークで反射される不要な光は、図示しないカメラの撮影画像に悪影響を与えるため、このような不要な光を遮光することで、良好な光学特性を有する交換レンズ１００を提供できる。
【００５５】
図２４は、固定枠６０に入射した光の光線図である。これによると、中間部材４０の絞り機能により、前方の可動レンズ群４を通過した光のうち、可動レンズ群６を直接通過しないコイルの隙間を通過した光やヨークで反射された光などの不要な光の多くが遮光されているのが分かる。
【００５６】
前方のレンズ枠１１の可動領域の光軸Ｏ方向に沿った長さは、アクチュエータ２０の第１ヨーク２３の第２部分２３ｂの光軸Ｏ方向の長さによって決まり、後方のレンズ枠１２の可動領域の光軸Ｏ方向に沿った長さは、アクチュエータ３０の第２ヨーク３３の第２部分３３ｂの光軸Ｏ方向の長さによって決まる。言い換えると、２つの可動領域を仕切る中間部材４０の光軸Ｏ方向に沿った位置は、第１および第２ヨーク２３、３３の光軸Ｏ方向に沿った長さによって決まる。このため、見方を変えれば、最も良好な絞り機能を果たす位置に中間部材４０を配置して、この中間部材４０の位置に合わせて第１および第２ヨーク２３、３３の長さを設計することもできる。
【００５７】
以上のように、本実施形態の交換レンズ１００によると、前方のレンズ枠１１の可動領域と後方のレンズ枠１２の可動領域との間に、仕切り（緩衝）機能と絞り機能を兼ね備えた中間部材４０を配置したため、部品点数を少なくでき、組み立てを容易にでき、光学特性を良好にできる。
【００５８】
また、本実施形態によると、アクチュエータ２０の第１ヨーク２３（および第３ヨーク２４）とアクチュエータ３０の第２ヨーク３３が光軸Ｏ方向に離間して互いに分離しているため、一方のアクチュエータ２０（３０）の動作時に、相互誘導によって、他方のアクチュエータ３０（２０）にノイズ成分となる磁力が作用することを防止でき、２組の可動レンズ群４、６を正確に駆動制御することができる。第１ヨーク２３と第２ヨーク３３の間に配置した非磁性部材２５は、相互誘導による磁力の影響を少なくするよう機能する。
【００５９】
また、本実施形態によると、第１ヨーク２３および第２ヨーク３３をＵ字状にしたため、外枠１の側面に開口部を設けたりすることなく、ヨーク２３、３３の取り付けを容易にでき、作業性を向上させることができる。また、外枠１に不所望な開口部を設けることがないので、外枠１の剛性を保つことができ、交換レンズ１００の機械強度を高めることができる。
【００６０】
さらに、本実施形態によると、第３ヨーク２４を第１ヨーク２３に接着しないため、組み立て工数を削減でき、接着剤が硬化するまでの待ち時間を無くすことができ、交換レンズ１００の製造コストを低減できる。
【００６１】
なお、本発明は、上述した実施形態に限定されるものではなく、発明の範囲を超えることなく任意に変更可能である。
以下、本願の出願当初の特許請求の範囲に記載された発明を付記する。
［１］
第１レンズ群を保持した第１可動部材および第２レンズ群を保持した第２可動部材を光軸方向に並べて固定枠に対して移動可能に収容したレンズ鏡筒であって、
第１コイル、上記第１コイルに対向して配置された第１磁石、および第１ヨークによって第１の磁気回路を構成し、当該第１の磁気回路によって上記第１可動部材を上記光軸方向に移動させる第１アクチュエータと、
第２コイル、上記第２コイルに対向して配置された第２磁石、および第２ヨークによって上記第１の磁気回路とは磁気的に独立した第２の磁気回路を構成し、当該第２の磁気回路によって上記第２可動部材を上記光軸方向に移動させる第２アクチュエータと、
上記第１可動部材と上記第２可動部材との間に位置し、上記第１レンズ群及び上記第２レンズ群を含む光学系の絞りとなる絞り部と上記第１可動部材と上記第２可動部材とが衝突するのを防止する衝突防止部とを有する中間部材と、
を具備したことを特徴とするレンズ鏡筒。
［２］
上記第１ヨークと上記第２ヨークは、上記光軸方向において所定の距離だけ離間して配置されていることを特徴とする［１］記載のレンズ鏡筒。
［３］
上記中間部材の上記第１可動部材側には、当該第１可動部材の衝突による衝撃を吸収するための第１緩衝部材が設けられ、
上記第２可動部材の可動領域の上記中間部材側の端部における上記固定枠には、上記第２可動部材の衝突による衝撃を吸収するための第２緩衝部材が設けられていることを特徴とする［１］記載のレンズ鏡筒。
【符号の説明】
【００６２】
１…外枠、  ４、６…可動レンズ群、  １０…支持機構、  １１、１２…レンズ枠、  １３、１４、１５…ガイド軸、  ２０、３０…アクチュエータ、  ２１…第１コイル、  ２２…第１磁石、  ２３…第１ヨーク、  ２４…第３ヨーク、  ２５…非磁性部材、  ３１…第２コイル、  ３２…第２磁石、  ３３…第２ヨーク、  ４０…中間部材、４５、４６…緩衝部材、  ５０…組立体、  ５１…第１固定部、  ５２…第２固定部、  ５３…突起、  ６０…固定枠、  ６１〜６６…緩衝部材、  １００…交換レンズ、  ２３０、３３０…開口部、  Ｏ…光軸。
【要約】
【課題】良好な光学特性を有するレンズ鏡筒を提供する。
【解決手段】交換レンズ１００は、前方の可動レンズ群４および後方の可動レンズ群６を同軸に並べて光軸Ｏ方向に移動可能に収容した固定枠６０を有する。可動レンズ群４を保持したレンズ枠１１の可動領域と可動レンズ群６を保持したレンズ枠１２の可動領域との間に中間部材４０が配置されている。中間部材は、可動レンズ群４と可動レンズ群６の干渉を防止するため両者の間を仕切るとともに、固定枠６０に入射して前方の可動領域を通って後方の可動領域に至る光のうち不要な光を遮光する。
【選択図】図５【図１】
0005889385.tif 000002
【図２】
0005889385.tif 000003
【図３】
0005889385.tif 000004
【図４】
0005889385.tif 000005
【図５】
0005889385.tif 000006
【図６】
0005889385.tif 000007
【図７】
0005889385.tif 000008
【図８】
0005889385.tif 000009
【図９】
0005889385.tif 000010
【図１０】
0005889385.tif 000011
【図１１】
0005889385.tif 000012
【図１２】
0005889385.tif 000013
【図１３】
0005889385.tif 000014
【図１４】
0005889385.tif 000015
【図１５】
0005889385.tif 000016
【図１６】
0005889385.tif 000017
【図１７】
0005889385.tif 000018
【図１８】
0005889385.tif 000019
【図１９】
0005889385.tif 000020
【図２０】
0005889385.tif 000021
【図２１】
0005889385.tif 000022
【図２２】
0005889385.tif 000023
【図２３】
0005889385.tif 000024
【図２４】
0005889385.tif 000025